(57)【要約】【課題】本発明は、果実片の果汁を効率良く搾ることのできる果物搾り器を提供する。【解決手段】果物搾り器１は、下端に頂点部分７を持つ逆円錐形の外形を有し、その頂点部分に搾った果汁を通す穴２を有し、上端に果実片を投入するための開口８を有した柔軟な樹脂製の搾り袋３を備えている。搾り袋は、外面に螺旋状に伸びているＶ字型の折り目１１が複数設けられており、その断面形状が鋸歯状になっている。搾り袋の上下端を搾り動作を行うことによって、Ｖ字型の折り目１１で折り畳まれて、搾り袋の直径が小さくなる。断面形状を鋸歯状とすることによって搾り袋の内側に形成されるＶ字溝１９の間に果実片を挟んで潰し、効率良く果汁を搾り取ることができる。【選択図】図１
2015039493.tif 000002
【特許請求の範囲】
【請求項１】
果実片が投入され、その果実片を押し潰すことにより果汁を搾り出す果物搾り器において、
下端に頂点部分を持つ逆円錐形の外形を有し、その頂点部分に搾った果汁を通す穴を有し、上端に果実片を投入するための開口を有し、外面に螺旋状に伸びているＶ字型の折り目が複数設けられており、その断面形状が鋸歯状になった柔軟な樹脂製の搾り袋で構成され、
前記搾り袋の上端と下端とが捩じられることにより、前記Ｖ字型の折り目で折り畳まれて、搾り袋の直径が小さくなることを特徴とする果物搾り器。
【請求項２】
前記搾り袋の下端の頂点部分に一方の手で把持できるキャップと、前記開口の周囲に、一方の手で把持するために設けられているグリップと、を有していることを特徴とする請求項１に記載の果物搾り器。
【請求項３】
前記搾り袋内に、前記穴を覆うように配置されるフィルタを有し、前記フィルタは、前記搾り袋の穴を覆うように嵌り、底面が開口している円柱状の形状を有し、その外側面に果実片に含まれる種や繊維をろ過して果汁を通過させるスリットを有していることを特徴とする請求項１又は請求項２に記載の果物搾り器。
【請求項４】
前記搾り袋の頂点部分は穴の開いた筒状になっており、該筒状の外周には前記搾り袋の開口から穴の方向に向かって伸びる線状の凸部又は溝状の凹部が設けられ、前記キャップは、内側に前記凸部又は凹部に嵌る凹部又は凸部を有する筒状の中空部分を有し、前記搾り袋の頂部部分に嵌合されることを特徴とする請求項１乃至請求項３のいずれか一項に記載の果物搾り器。
【発明の詳細な説明】
【技術分野】
【０００１】
本発明は、スイカ、みかん、メロン等の比較的やわらかい果実片から果汁を搾る果物搾り器に関する。
【背景技術】
【０００２】
従来、スイカ、みかん、メロン等の比較的やわらかい果実片から果汁を搾る器具として搾り汁を吐出するための流出口を備えた搾り袋を備え、収納した果実片を手で握り潰した後に、袋を搾って果汁を搾り出すタイプの果汁の搾り器が知られている（例えば、特許文献１を参照）。この搾り器で用いる搾り袋の表面には溝を設ける等の特別な造形処理は施されておらず、その断面形状は円形である。
【先行技術文献】
【特許文献】
【０００３】
【特許文献１】実開昭４８−１１２６５０号公報
【発明の概要】
【発明が解決しようとする課題】
【０００４】
上記従来の搾り器では、搾り袋に入れた果実片を手で握り潰す手間が要るため効率良く果汁を搾り出すことが難しかった。
【０００５】
本発明は、上記従来例の問題を解決するためになされたものであり、搾り袋に入れた果実片を、この袋を搾る動作と同時に潰し、効率良く果汁を採取できる果物搾り器を提供することを目的とする。
【課題を解決するための手段】
【０００６】
上記目的を達成するために本発明は、果実片が投入され、その果実片を押し潰すことにより果汁を搾り出す果物搾り器において、下端に頂点部分を持つ逆円錐形の外形を有し、その頂点部分に搾った果汁を通す穴を有し、上端に果実片を投入するための開口を有し、外面に螺旋状に伸びているＶ字型の折り目が複数設けられており、その断面形状が鋸歯状になった柔軟な樹脂製の搾り袋で構成され、前記搾り袋の上端と下端とが捩じられることにより、前記Ｖ字型の折り目で折り畳まれて、搾り袋の直径が小さくなることを特徴とする。
【０００７】
前記搾り袋の下端の頂点部分に一方の手で把持できるキャップと、前記開口の周囲に、一方の手で把持するために設けられているグリップと、を有していることが好ましい。
【０００８】
前記搾り袋内に、前記穴を覆うように配置されるフィルタを有し、前記フィルタは、前記搾り袋の穴を覆うように嵌り、底面が開口している円柱状の形状を有し、その外側面に果実片に含まれる種や繊維をろ過して果汁を通過させるスリットを有していることが好ましい。
【０００９】
上記搾り袋の頂点部分は穴の開いた筒状になっており、該筒状の外周には前記搾り袋の開口から穴の方向に向かって伸びる線状の凸部又は溝状の凹部が設けられ、前記キャップは、内側に前記凸部又は凹部に嵌る凹部又は凸部を有する筒状の中空部分を有し、前記搾り袋の頂部部分に嵌合されることが好ましい。
【発明の効果】
【００１０】
本発明によれば、搾り袋を搾って、その直径を小さくして搾り袋の中にある果実片を潰して果汁を搾り出し、かつ、断面が鋸歯状の搾り袋を搾ることによって内側に形成されるＶ字溝の間に挟まれた果実片を潰しながら果汁を搾ることができるので、効率良く果汁を採取できる。
【図面の簡単な説明】
【００１１】
【図１】本発明の一実施の形態に係る果物搾り器の全体構成図。
【図２】（ａ）、（ｂ）は同実施形態の変形例に係る果物搾り器の全体構成図。
【図３】同搾り器の分解斜視図。
【図４】（ａ）は同搾り器のフィルタの斜視図、（ｂ）は底側から見た斜視図。
【図５】（ａ）〜（ｄ）は同搾り器の使用説明図。
【図６】（ａ）は搾る前の搾り袋の断面図であり、図５（ａ）のＡ−Ａ’線断面図、（ｂ）は搾っているときの搾り袋の断面であり、図５（ｂ）のＢ−Ｂ’線断面図。
【発明を実施するための形態】
【００１２】
本発明の果物搾り器は、上端が開口しており、下端に搾った果汁を通す穴を有している搾り袋を備える。使用者は、搾り袋にブロック状の果実片を投入し、上下の端を左右の手で把持し、搾り袋の上端と下端とを捩じることによって果実片から果汁を搾りだす。搾り袋は、頂点部分を下端にした円錐形状の樹脂製の袋で、頂点部分に果汁の吐出口を備え、袋の周りに螺旋状に伸びているＶ字型の折り目を複数備え、袋の断面が鋸歯状（ギザギザ）に形成されている。使用者が搾り袋の上下端を手で把持して捩じることによって、搾り袋はＶ字型の折り目で折り畳まれて、その直径が小さく絞られる。搾り袋は、その直径を小さく絞ることによって搾り袋内にある果実片を潰し、しかも、断面を鋸歯状にすることによって内側に形成されるＶ字溝の間に果実片を挟んで潰して果汁を搾り取る。断面が円形の従来の搾り袋では、Ｖ字溝の間に果実片を挟んで潰すという動作がないのに対して、本発明の果物搾り器は効率良く果汁を搾ることができる。
【００１３】
図１に示すように、実施の形態に係る果物搾り器１は、投入された果実片を搾り、搾った果汁を底に設けてある穴２から吐出する搾り袋３を備えている。この搾り袋３は、搾り袋３内において穴２の直前に配置されているフィルタ４と、搾り袋３を両手でねじって果汁を搾り易くする部分として、その上下端に設けられている円筒状のキャップ５及びリング状のグリップ６と、を備えている。
【００１４】
搾り袋３は、例えば深さＬ１が２００ｍｍ〜４００ｍｍの柔軟でねじりに強い透明なプラスティック等の樹脂で成形した袋で、頂点部分７を下端に持つ逆円錐形の外形を有する。頂点部分７は、搾った果汁を通す穴２を有している。
【００１５】
搾り袋３は、上端に果実片を投入するための開口８（例えば直径Ｌ２＝６０ｍｍ）を有している。開口８の周囲には、一方の手で把持するためのグリップ６が設けられている。グリップ６は、開口８の面積が狭くなるのを防止する役割もある。グリップ６には、指先をかけることができる逆三角形状の穴９を有している。また三角形の穴は丸穴にしても良い。搾り袋３は、外面に螺旋状に伸びているＶ字型の折り目１１（例えばＶ字部分の幅Ｌ３、Ｌ４＝１０ｍｍ、図６（ａ）を参照）が複数設けられており、その断面形状が鋸歯状となるように形成されている。
【００１６】
なお、変形例には、図２（ａ）にグレイのハッチングで示すように、逆三角形の穴９を廃止して指先の滑り止めにゴム製のシート１０を貼り付けても良い。また、図２（ｂ）に一点鎖線で示すように、手で把持できる円筒形のキャップ５の代わりに、手で把持できるたまご形のキャップ１６を用いても良い。
【００１７】
図３に示すように、搾り袋３の頂点部分７は、筒状に形成され、その筒状の外周には、搾り袋３の開口８から穴２の方向に伸びる線状の凸部１２が例えば等間隔で、平行に４本設けられている。キャップ５は、その内側面に凸部１２が嵌る凹部１３を有する筒状の中空部分１４を有している。キャップ５の中空部分１４の底面には、搾り袋３の穴２を通ってきた果汁を吐出するための穴１５が設けられている。キャップ５は、その凹部１３が頂点部分７の凸部１２に嵌るように押し入れられ、嵌合される。キャップ５は、その外周面（例えば直径Ｌ５＝４０ｍｍ）が搾り袋３を捩じるために、手で把持される。このような構成のキャップ５を用いることにより、搾り袋３を手で捩じる際に空回りすることを防ぐ。なお、頂点部分７の筒状の外周に、線状の凸部１２の代わりに、同じ方向に伸びている溝状の凹部を設け、キャップ５にはこの溝状の凹部に嵌る線状の凸部を設けてもよい。
【００１８】
フィルタ４は、穴２よりも大きな直径の円柱形状とされ、逆円錐状の搾り袋３の底の部分に、穴２を覆うように嵌められて固定される。フィルタ４は、図４（ａ）（ｂ）に示すように、底面４ａが開口している中空の円柱状の形状を有しており、頂部を封止する突起１７を有している。その外側面に。フィルタ４は、その外側面に果実片に含まれる種や繊維をろ過して果汁を通過させる複数のスリット１８を有している。突起１７は搾りかすがスリット１８に落ちて詰まらないようにするためのストッパーの働きをするものである。
【００１９】
なお、変形例としてフィルタ４を用いない実施形態もある。この実施形態においては、穴２の大きさは、果汁を搾り取る果実片を袋内に留まらせるため、投入される果実片よりも小さくする。
【００２０】
図５（ａ）（ｂ）（ｃ）（ｄ）及び図６（ａ）（ｂ）を参照して、果物搾り器１の使用例について説明する。図５（ａ）に示すように、ブロック状の果実片３０（例えば２０〜３０ｍｍ四方の直方体）を開口８から搾り袋３に投入する。搾り袋３は、Ｖ字型の折り目１１によって断面形状が鋸歯状（図６（ａ）を参照）になっており、内側にはＶ字溝１９と山折部分２０が形成されている。図６（ａ）に示すようにＶ字溝１９の間には、搾り袋３に投入された果実片３０が入り込む。
【００２１】
使用者は、搾り袋３の穴２と開口８の部分、すなわちグリップ６とキャップ５とを両手で把持し、このグリップ６とキャップ５とを図５（ｂ）に矢印４０、４１で示す方向にねじって搾り袋３を搾る。この搾る動作を行うことによって、Ｖ字型の折り目１１が折り畳まれて、Ｖ字溝１９の間隔が狭くなり、搾り袋３の直径が小さくなる（図６（ｂ）を参照）。搾り袋３は、その直径が小さくなることによって袋内の果実片３０を潰して果汁を搾り出す。さらには、搾り袋３は、Ｖ字溝１９の間隔が狭くなることによって、その間に挟んだ果実片３０を押し潰して果汁を搾り出す。搾り取られた果汁は、図５（ｂ）に示すように、キャップ５の穴１５から、キャップ５の下側に予め配置してある容器５０に注がれる。
【００２２】
最初の搾り動作が終わったら、使用者は、グリップ６を矢印４２で示す方向（上方から見て反時計回り）に回転して搾り袋３のねじれを緩める。これにより、図５（ｃ）に示すように、Ｖ字溝１９の間が開いて、その間に挟まっていた果実片３０の搾りかす３１を下のほうに集める。この後、使用者は、再び、搾り袋３のグリップ６を図５（ｄ）に示すように矢印４３で示す方向（上方から見て時計回り）に回転して搾り袋３をねじって残りの果汁を容器５０に搾り出す。
【００２３】
以上説明した果物搾り器１は、Ｖ字型の折り目１１を付けて内側にＶ字溝１９を形成した搾り袋３を用いることで、搾り動作によって搾り袋３の直径を小さくして袋内の果実片３０から果汁を搾り出す。さらには、果物搾り器１は、Ｖ字溝１９の間に挟まれた果実片３０を潰しながら、果汁を搾ることができ、効率良く果汁を採取できる。
【００２４】
なお、搾り袋３には、果汁を搾り得る硬度を有すると同時に、柔軟でねじりに強く、好ましくは中の状態を目視確認できるように透明な材料を用いるのが好ましい。例えば、プラスティック（合成樹脂）、例えばポリエチレンテレフタレート、ビニル樹脂等を用いる。その硬度については、使用者が捩じるのに要する力と、Ｖ字溝１９による果物を挟んで潰す作用、搾り袋３の直径が小さくなる際に、隣り合うＶ字溝を繋ぐ内側への山折部分２０によって袋内にある果物を潰す作用とのバランスを考慮して、実験結果に基づいて定める。
【００２５】
なお、本発明は、上記実施形態の構成に限られず、発明の趣旨を変更しない範囲で種々の変形が可能である。例えば、搾り袋３の厚み、Ｖ字溝１９のサイズ、並びに、隣り合うＶ字溝１９を繋ぐ内側への山折部分２０の鋭さ等は、搾り袋３がねじられた際に発揮するＶ字溝１９及び山折部分２０による潰し作用が良くなるように、実験結果に基づいて定めればよい。
【産業上の利用可能性】
【００２６】
本発明の果物搾り器は、スイカ、みかん、メロン等の柔らかい果実片を搾るのに用いるだけでなく、潰すことによって果汁を取り出すことができるタイプの果実その他の食べ物から果汁又は水分を搾り取る際に用いることができる。
【符号の説明】
【００２７】
１          果物搾り器
２          搾り袋の穴
３          搾り袋
４          フィルタ
４ａ        フィルタの底面
５          キャップ
６          グリップ
７          頂点部分
８          開口
１０        ゴム製のシート   
１１        Ｖ字型の折り目
１２        頂点部分の線状の凸部
１３        キャップの溝状の凹部
１４        キャップの中空部分
１５        キャップの穴
１８        フィルタのスリット
１９        Ｖ字溝
３０        果実片
【図１】
2015039493.tif 000003
【図３】
2015039493.tif 000004
【図４】
2015039493.tif 000005
【図６】
2015039493.tif 000006
【図２】
2015039493.tif 000007
【図５】
2015039493.tif 000008